(57)【要約】      （修正有）【課題】大型の撮像素子に対応でき、高性能化と小型化を達成し、光線射出角を抑制し、かつ軽量なレンズ群でフォーカシングを行いながら、撮影領域全体で収差変動の少ない結像光学系を提供する。【解決手段】物体側から順に、正の屈折力の第１レンズ群Ｇ１と、開口絞りＳと、正の屈折力の第２レンズ群Ｇ２と、負の屈折力の第３レンズ群Ｇ３より構成され、無限遠から近距離へのフォーカシングに際して前記第２レンズ群Ｇ２が光軸に沿って物体側へ移動し、前記第２レンズ群は、物体側から順に、物体側に凹面を向けた負レンズと像側に凸面を向けた正レンズとの接合レンズＤＢ２と両凸形状の正レンズのみから構成され、前記第３レンズ群は最も物体側に負レンズを有し、最も像側に正レンズを有し、少なくとも１枚ずつの正レンズと負レンズを有し、さらに所定の条件式を満足させる。【選択図】図１
2015043104.tif 000002
【特許請求の範囲】
【請求項１】
物体側から順に、正の屈折力の第１レンズ群と、開口絞りと、正の屈折力の第２レンズ群と、負の屈折力の第３レンズ群より構成され、
無限遠から近距離へのフォーカシングに際して前記第２レンズ群が光軸に沿って物体側へ移動し、前記第２レンズ群は、物体側から順に、物体側に凹面を向けた負レンズと像側に凸面を向けた正レンズとの接合レンズＤＢ２と両凸形状の正レンズのみから構成され、前記第３レンズ群は最も物体側に負レンズを有し、最も像側に正レンズを有し、少なくとも１枚ずつの正レンズと負レンズを有し、下記の条件式を満足することを特徴とする結像光学系。
（１）１．２０＜ｆ１／ｆ２３＜７．５０
（２）０．０１＜｜ｆ２／ｆ３｜＜０．３５
（３）０．８００＜ｎ３ａ／ｎ３ｂ＜０．９９０
ただし、
ｆｉ：第ｉレンズ群の焦点距離
ｆ２３：第２レンズ群と第３レンズ群の無限遠合焦時における合成焦点距離
ｎ３ａ：第３レンズ群を構成する負レンズの屈折率の最大値
ｎ３ｂ：第３レンズ群を構成する正レンズの屈折率の最小値
【請求項２】
物体側から順に、正の屈折力の第１レンズ群と、開口絞りと、正の屈折力の第２レンズ群と、負の屈折力の第３レンズ群より構成され、
無限遠から近距離へのフォーカシングに際して前記第２レンズ群が光軸に沿って物体側へ移動し、前記第２レンズ群は、物体側から順に、物体側に凹面を向けた負レンズと像側に凸面を向けた正レンズとの接合レンズＤＢ２と両凸形状の正レンズのみから構成され、前記第３レンズ群は最も物体側に負レンズを有し、少なくとも１枚の正レンズと、負レンズを有し、前記第３レンズ群に含まれる負レンズは一枚であり、下記の条件式を満足することを特徴とする結像光学系。
（１）１．２０＜ｆ１／ｆ２３＜７．５０
（２）０．０１＜｜ｆ２／ｆ３｜＜０．３５
（３）０．８００＜ｎ３ａ／ｎ３ｂ＜０．９９０
ただし、
ｆｉ：第ｉレンズ群の焦点距離
ｆ２３：第２レンズ群と第３レンズ群の無限遠合焦時における合成焦点距離
ｎ３ａ：第３レンズ群を構成する負レンズの屈折率の最大値
ｎ３ｂ：第３レンズ群を構成する正レンズの屈折率の最小値
【請求項３】
前記第１レンズ群は、物体側から順に物体側に凸面を向けた正レンズと像側に凹面を向けた負レンズとの接合レンズＤＢ１を有し、前記第２レンズ群は、物体側から順に物体側に凹面を向けた負レンズと像側に凸面を向けた正レンズとの接合レンズＤＢ２と両凸形状の正レンズを有し、下記の条件式を満足することを特徴とする請求項１乃至２に記載の結像光学系。
（４）｜ＲＤＢ１／ｆ｜＞１．００
（５）｜ＲＤＢ２／ｆ｜＞０．６５
ただし、
ＲＤＢ１：接合レンズＤＢ１の接合面の曲率半径
ＲＤＢ２：接合レンズＤＢ２の接合面の曲率半径
ｆ：光学系全系の無限遠合焦状態における焦点距離
【請求項４】
前記第３レンズ群に含まれる負レンズは１枚であることを特徴とする請求項１に記載の結像光学系。
【請求項５】
前記接合レンズＤＢ１は、前記第１レンズ群に含まれる接合レンズのうち最も像側に位置することを特徴とする請求項１乃至４のいずれかに記載の結像光学系。
【発明の詳細な説明】
【技術分野】
【０００１】
本発明はデジタルカメラ、ビデオカメラなどに用いられる撮影レンズに好適な結像光学系に関する。
【背景技術】
【０００２】
近年、デジタルスチルカメラやビデオカメラ等の撮像装置の普及に伴い、撮像素子の画素数の増加が急速に進んでおり、より高画質の結像光学系が求められている。更に近年では高画質を得るために大型の撮像素子を採用するカメラが増加している。
【０００３】
同じ画素数ならば、大型の撮像素子は小型のものに比べて画素あたりの面積が大きいため、ノイズの少ない良好な画像を得ることが出来る。しかし撮像素子が大きくなると、当然ながら結像光学系も大型化する傾向がある。
【０００４】
撮像装置に広く使用される撮像素子は一般に入射角の大きな光に対して感度が低下するという特性を持つ。撮像素子に対して、周辺部まで入射角を小さく保つためにはレトロフォーカス型の屈折力配置が有利となる。
【０００５】
しかし、レトロフォーカス型の屈折力配置は、撮像素子の大きさに対して結像光学系の全長が大きくなりがちである。大型の撮像素子を使用する撮像装置においては、結像光学系の全長が大きくなると撮像装置全体が大型化してしまう。
【０００６】
従って大型の撮像素子に対応する光学系としては、撮像素子への入射角、すなわち結像光学系からの光線射出角を抑えつつ可能な限り小型化することが課題となる。
【０００７】
大型の撮像素子に対応するための、画角５０〜６０°程度のコンパクトな結像光学系としては例えば特許文献１乃至３に開示されている。
【先行技術文献】
【特許文献】
【０００８】
【特許文献１】特開２００３−２４１０８４号公報
【０００９】
【特許文献２】特開２００９−２５８１５８号公報
【００１０】
【特許文献３】特開２０１０−１０１９７９号公報
【発明の概要】
【発明が解決しようとする課題】
【００１１】
前述のように大型の撮像素子に対応する結像光学系においては十分な小型化が課題となるが、小型化に伴う性能の低下や製造誤差に対する敏感度の増大を最小限に抑えることが同時に必要となる。またフォーカシングに用いるレンズ群をなるべく軽くし、アクチュエータの小型化やフォーカシングの高速化も望まれる。
【００１２】
特許文献１および特許文献２に記載の結像光学系は、絞りより物体側の第１レンズ群内に物体側から順に負レンズと正レンズを配置し、それらのレンズを近接して配置して合成屈折力を正とし、さらに絞りより像側の第２レンズ群を物体側の第1レンズ群よりも強い正の屈折力とすることで全長の小型化と光線射出角の抑制が達成されている。フォーカシングは３枚程度のレンズからなる正の屈折力の第２レンズ群のみで行うことによって一定の軽量化が達成でき、さらにフォーカシングの高速化やアクチュエータの小型化が可能となる。
【００１３】
また、特許文献１および特許文献２に記載の結像光学系は、絞りよりも物体側の第１レンズ群では最も物体側の面を物体側に凸としつつ最も像側の面を像側に凹とし、また逆に、絞りよりも像側の第２レンズ群では最も物体側の面を物体側に凹としつつ最も像側の面を像側に凸としている。
【００１４】
一般に、上記のように絞りに対しコンセントリックなレンズ形状とすることにより、軸外主光線の各面への入射角を小さくして各面での非点収差やコマ収差の発生を抑制できる。また、レンズの屈折力配置が開口絞りを中心として対称に近いと第１レンズ群と第２レンズ群の間でコマ収差、歪曲、倍率色収差等を打ち消し合い、光学系全体として良好な収差補正を実現できる。
【００１５】
しかしながら、このような第１レンズ群と第２レンズ群のみからなる構成の結像光学系では、フォーカシングに伴って第２レンズ群を移動させることにより屈折力配置が大きく変化し、諸収差、特にコマ収差や歪曲、倍率色収差の変動が大きくなるため、近距離での性能が不十分となる。
【００１６】
また、これらの収差は画角が大きくなるほど大きく発生するため、その補正および変動の抑制が難しくなる。このため、この形式の結像光学系は対角線全画角が３０°程度の中望遠画角において主に使用されており、対角線全画角が５０°程度の標準画角に使用された例は少ない。
【００１７】
一方、特許文献３に記載の結像光学系は光学系の最も物体側に負のレンズエレメントが配置されたレトロフォーカス型の屈折力配置となっており、光線射出角を抑制している。また、フォーカシングを最も像側のレンズ１枚で行っているために非常に軽量である。
【００１８】
その反面、レトロフォーカス型の屈折力配置により全長がやや長いという欠点がある。この光学系は絞りより物体側の群の合成屈折力を正として全長の短縮を図っているが、最も物体側に位置する２枚の負レンズの屈折力が大きく、絞りより物体側の群だけで強いレトロフォーカス型の屈折力配置となっているため全長の短縮が難しい。
【００１９】
またフォーカス群がレンズ系の最も像側の１枚であるために、屈折力を強くして移動量の短縮を図ると、フォーカス群単体での収差補正が困難となってフォーカシングに伴う収差変動が大きくなるという問題が生じ、またフォーカス群の屈折力を弱くするとフォーカス群の移動量が大きくなって光学系全体の小型化に不利となる。
【００２０】
本発明はこのような状況に鑑みてなされたものであり、対角線全画角がおおよそ６０°から３０°程度の広角から中望遠の画角領域に適し、大型の撮像素子に対応し、高性能化と小型化を達成し、光線射出角を抑制し、かつ軽量なレンズ群でフォーカシングを行いながら、撮影領域全体で収差変動の少ない、結像光学系を提供することを目的とする。
【課題を解決するための手段】
【００２１】
上記目的を達成するために、本発明の第１の結像光学系は、物体側から順に、正の屈折力の第１レンズ群と、開口絞りと、正の屈折力の第２レンズ群と、負の屈折力の第３レンズ群より構成され、
無限遠から近距離へのフォーカシングに際して前記第２レンズ群が光軸に沿って物体側へ移動し、前記第２レンズ群は、物体側から順に、物体側に凹面を向けた負レンズと像側に凸面を向けた正レンズとの接合レンズＤＢ２と両凸形状の正レンズのみから構成され、前記第３レンズ群は最も物体側に負レンズを有し、最も像側に正レンズを有し、少なくとも１枚ずつの正レンズと負レンズを有し、下記の条件式を満足することを特徴とする。
（１）１．２０＜ｆ１／ｆ２３＜７．５０
（２）０．０１＜｜ｆ２／ｆ３｜＜０．３５
（３）０．８００＜ｎ３ａ／ｎ３ｂ＜０．９９０
ただし、
ｆｉ：第ｉレンズ群の焦点距離
ｆ２３：第２レンズ群と第３レンズ群の無限遠合焦時における合成焦点距離
ｎ３ａ：第３レンズ群を構成する負レンズの屈折率の最大値
ｎ３ｂ：第３レンズ群を構成する正レンズの屈折率の最小値
【００２２】
また本発明の第２の結像光学系は、物体側から順に、正の屈折力の第１レンズ群と、開口絞りと、正の屈折力の第２レンズ群と、負の屈折力の第３レンズ群より構成され、
無限遠から近距離へのフォーカシングに際して前記第２レンズ群が光軸に沿って物体側へ移動し、前記第２レンズ群は、物体側から順に、物体側に凹面を向けた負レンズと像側に凸面を向けた正レンズとの接合レンズＤＢ２と両凸形状の正レンズのみから構成され、前記第３レンズ群は最も物体側に負レンズを有し、少なくとも１枚の正レンズと、負レンズを有し、前記第３レンズ群に含まれる負レンズは一枚であり、下記の条件式を満足することを特徴とする。
（１）１．２０＜ｆ１／ｆ２３＜７．５０
（２）０．０１＜｜ｆ２／ｆ３｜＜０．３５
（３）０．８００＜ｎ３ａ／ｎ３ｂ＜０．９９０
ただし、
ｆｉ：第ｉレンズ群の焦点距離
ｆ２３：第２レンズ群と第３レンズ群の無限遠合焦時における合成焦点距離
ｎ３ａ：第３レンズ群を構成する負レンズの屈折率の最大値
ｎ３ｂ：第３レンズ群を構成する正レンズの屈折率の最小値
【００２３】
さらに本発明の第３の結像光学系は、本発明の第１乃至第２いずれかの結像光学系において、前記第１レンズ群は、物体側から順に物体側に凸面を向けた正レンズと像側に凹面を向けた負レンズとの接合レンズＤＢ１を有し、前記第２レンズ群は、物体側から順に物体側に凹面を向けた負レンズと像側に凸面を向けた正レンズとの接合レンズＤＢ２と両凸形状の正レンズを有し、下記の条件式を満足することを特徴とする。
（４）｜ＲＤＢ１／ｆ｜＞１．００
（５）｜ＲＤＢ２／ｆ｜＞０．６５
ただし、
ＲＤＢ１：接合レンズＤＢ１の接合面の曲率半径
ＲＤＢ２：接合レンズＤＢ２の接合面の曲率半径
ｆ：光学系全系の無限遠合焦状態における焦点距離
【００２４】
さらに本発明の第４の結像光学系は、本発明の第１の結像光学系において、前記第３レンズ群に含まれる負レンズは１枚であることを特徴とする。
【００２５】
さらに本発明の第５の結像光学系は、本発明の第１乃至第４いずれかの結像光学系において、前記接合レンズＤＢ１は、前記第１レンズ群に含まれる接合レンズのうち最も像側に位置することを特徴とする。
【発明の効果】
【００２６】
本発明を実施の結像光学系によれば、対角線全画角がおおよそ６０°から３０°程度の広角から中望遠の画角領域に適し、大型の撮像素子に対応し、高性能化と小型化を達成し、光線射出角を抑制し、かつ軽量なレンズ群でフォーカシングを行いながら、撮影領域全体で収差変動の少ない結像光学系を提供することができる。
【図面の簡単な説明】
【００２７】
【図１】本発明の結像光学系の実施例１に係るレンズ構成図である。
【図２】実施例１の結像光学系の撮影距離無限遠における縦収差図である。
【図３】実施例１の結像光学系の撮影距離５００ｍｍにおける縦収差図である。
【図４】実施例１の結像光学系の撮影距離無限遠における横収差図である。
【図５】実施例１の結像光学系の撮影距離５００ｍｍにおける横収差図である。
【図６】本発明の結像光学系の実施例２に係るレンズ構成図である。
【図７】実施例２の結像光学系の撮影距離無限遠における縦収差図である。
【図８】実施例２の結像光学系の撮影距離５００ｍｍにおける縦収差図である。
【図９】実施例２の結像光学系の撮影距離無限遠における横収差図である。
【図１０】実施例２の結像光学系の撮影距離５００ｍｍにおける横収差図である。
【図１１】本発明の結像光学系の実施例３に係るレンズ構成図である。
【図１２】実施例３の結像光学系の撮影距離無限遠における縦収差図である。
【図１３】実施例３の結像光学系の撮影距離５００ｍｍにおける縦収差図である。
【図１４】実施例３の結像光学系の撮影距離無限遠における横収差図である。
【図１５】実施例３の結像光学系の撮影距離５００ｍｍにおける横収差図である。
【図１６】本発明の結像光学系の実施例４に係るレンズ構成図である。
【図１７】実施例４の結像光学系の撮影距離無限遠における縦収差図である。
【図１８】実施例４の結像光学系の撮影距離５００ｍｍにおける縦収差図である。
【図１９】実施例４の結像光学系の撮影距離無限遠における横収差図である。
【図２０】実施例４の結像光学系の撮影距離５００ｍｍにおける横収差図である。
【図２１】本発明の結像光学系の実施例５に係るレンズ構成図である。
【図２２】実施例５の結像光学系の撮影距離無限遠における縦収差図である。
【図２３】実施例５の結像光学系の撮影距離５００ｍｍにおける縦収差図である。
【図２４】実施例５の結像光学系の撮影距離無限遠における横収差図である。
【図２５】実施例５の結像光学系の撮影距離５００ｍｍにおける横収差図である。
【図２６】本発明の結像光学系の実施例６に係るレンズ構成図である。
【図２７】実施例６の結像光学系の撮影距離無限遠における縦収差図である。
【図２８】実施例６の結像光学系の撮影距離５００ｍｍにおける縦収差図である。
【図２９】実施例６の結像光学系の撮影距離無限遠における横収差図である。
【図３０】実施例６の結像光学系の撮影距離５００ｍｍにおける横収差図である。
【図３１】本発明の結像光学系の実施例７に係るレンズ構成図である。
【図３２】実施例７の結像光学系の撮影距離無限遠における縦収差図である。
【図３３】実施例７の結像光学系の撮影距離５００ｍｍにおける縦収差図である。
【図３４】実施例７の結像光学系の撮影距離無限遠における横収差図である。
【図３５】実施例７の結像光学系の撮影距離５００ｍｍにおける横収差図である。
【図３６】本発明の結像光学系の実施例８に係るレンズ構成図である。
【図３７】実施例８の結像光学系の撮影距離無限遠における縦収差図である。
【図３８】実施例８の結像光学系の撮影距離５００ｍｍにおける縦収差図である。
【図３９】実施例８の結像光学系の撮影距離無限遠における横収差図である。
【図４０】実施例８の結像光学系の撮影距離５００ｍｍにおける横収差図である。
【図４１】本発明の結像光学系の実施例９に係るレンズ構成図である。
【図４２】実施例９の結像光学系の撮影距離無限遠における縦収差図である。
【図４３】実施例９の結像光学系の撮影距離５００ｍｍにおける縦収差図である。
【図４４】実施例９の結像光学系の撮影距離無限遠における横収差図である。
【図４５】実施例９の結像光学系の撮影距離５００ｍｍにおける横収差図である。
【図４６】本発明の結像光学系の実施例１０に係るレンズ構成図である。
【図４７】実施例１０の結像光学系の撮影距離無限遠における縦収差図である。
【図４８】実施例１０の結像光学系の撮影距離５００ｍｍにおける縦収差図である。
【図４９】実施例１０の結像光学系の撮影距離無限遠における横収差図である。
【図５０】実施例１０の結像光学系の撮影距離５００ｍｍにおける横収差図である。
【図５１】本発明の結像光学系の実施例１１に係るレンズ構成図である。
【図５２】実施例１１の結像光学系の撮影距離無限遠における縦収差図である。
【図５３】実施例１１の結像光学系の撮影距離５００ｍｍにおける縦収差図である。
【図５４】実施例１１の結像光学系の撮影距離無限遠における横収差図である。
【図５５】実施例１１の結像光学系の撮影距離５００ｍｍにおける横収差図である。
【図５６】本発明の結像光学系の実施例１２に係るレンズ構成図である。
【図５７】実施例１２の結像光学系の撮影距離無限遠における縦収差図である。
【図５８】実施例１２の結像光学系の撮影距離５００ｍｍにおける縦収差図である。
【図５９】実施例１２の結像光学系の撮影距離無限遠における横収差図である。
【図６０】実施例１２の結像光学系の撮影距離５００ｍｍにおける横収差図である。
【図６１】本発明の結像光学系の実施例１３に係るレンズ構成図である。
【図６２】実施例１３の結像光学系の撮影距離無限遠における縦収差図である。
【図６３】実施例１３の結像光学系の撮影距離８００ｍｍにおける縦収差図である。
【図６４】実施例１３の結像光学系の撮影距離無限遠における横収差図である。
【図６５】実施例１３の結像光学系の撮影距離８００ｍｍにおける横収差図である。
【図６６】本発明の結像光学系の実施例１４に係るレンズ構成図である。
【図６７】実施例１４の結像光学系の撮影距離無限遠における縦収差図である。
【図６８】実施例１４の結像光学系の撮影距離８００ｍｍにおける縦収差図である。
【図６９】実施例１４の結像光学系の撮影距離無限遠における横収差図である。
【図７０】実施例１４の結像光学系の撮影距離８００ｍｍにおける横収差図である。
【図７１】本発明の結像光学系の実施例１５に係るレンズ構成図である。
【図７２】実施例１５の結像光学系の撮影距離無限遠における縦収差図である。
【図７３】実施例１５の結像光学系の撮影距離８００ｍｍにおける縦収差図である。
【図７４】実施例１５の結像光学系の撮影距離無限遠における横収差図である。
【図７５】実施例１５の結像光学系の撮影距離８００ｍｍにおける横収差図である。
【発明を実施するための形態】
【００２８】
本発明の結像光学系は、図１、図６、図１１、図１６、図２１、図２６、図３１、図３６、図４１、図４６、図５１、図５６、図６１、図６６、及び図７１に示すレンズ構成図からわかるように、物体側から順に、正の屈折力の第１レンズ群Ｇ１と、開口絞りＳと、正の屈折力の第２レンズ群Ｇ２と、負の屈折力の第３レンズ群Ｇ３より構成され、無限遠から近距離へのフォーカシングに際して第２レンズ群Ｇ２が光軸に沿って物体側へ移動する構成となっている。
【００２９】
また、第３レンズ群Ｇ３は少なくとも１枚ずつの正レンズと負レンズを有する構成となっている。
【００３０】
まず、第１レンズ群Ｇ１と第２レンズ群Ｇ２の合成系における、フォーカシングに伴う収差の変動について定性的に説明する。
【００３１】
一般的に、開口絞りに対して同じ側にある正の屈折力のレンズ群と負の屈折力のレンズ群の残存収差の符号は逆である。また、軸外主光線通過位置が光軸から遠いほどコマ収差等の軸外収差の発生は大きくなる。
【００３２】
本発明の結像光学系では、無限遠から近距離へのフォーカシングに伴い、第１レンズ群Ｇ１での軸外主光線通過位置は殆ど変化しないが、第２レンズ群Ｇ２は物体側へ移動するので第２レンズ群Ｇ２での軸外主光線通過位置はより光軸に近くなる。
【００３３】
このため、第１レンズ群Ｇ１の発生させる収差は殆ど変化しないにも拘らず第２レンズ群の発生させる収差は小さくなり、第１レンズ群Ｇ１と第２レンズ群Ｇ２の合成系において収差変動が発生することになる。
【００３４】
第１レンズ群Ｇ１と第２レンズ群Ｇ２のそれぞれの群で十分に収差を補正することが出来れば収差変動は少なくなるが、そのためにはそれぞれの群の構成枚数を増加させる必要が有り、フォーカス群の軽量化という本発明の目的の一つが達成できない。
【００３５】
そこで本発明の結像光学系では、フォーカシングに伴う収差変動を抑えるために、第２レンズ群Ｇ２の像側にフォーカシング時に移動しない負の屈折力の第３レンズ群Ｇ３を導入した。第３レンズ群Ｇ３導入による効果について説明する。
【００３６】
無限遠から近距離へのフォーカシングに伴って正の屈折力の第２レンズ群Ｇ２が開口絞りＳに近づくので、射出瞳は像側へ移動し、第２レンズ群Ｇ２以降の軸外主光線通過位置は光軸に近くなる。従って、第３レンズ群Ｇ３における軸外主光線通過位置は光軸に近くなり、第３レンズ群Ｇ３の発生させる収差は小さくなる。
【００３７】
前述のように、無限遠から近距離へのフォーカシングに伴って第２レンズ群Ｇ２の発生させる収差は小さくなるので、正の屈折力の第２レンズ群Ｇ２と負の屈折力の第３レンズ群Ｇ３の発生させる収差がそれぞれ小さくなることになる。すなわち、第２レンズ群Ｇ２と第３レンズ群Ｇ３の発生させる収差の符号が逆符号であると、第２レンズ群Ｇ２と第３レンズ群Ｇ３の合成系の収差変動を抑制できる。
【００３８】
上記の理由から第３レンズ群Ｇ３の屈折力を負とすることによって、フォーカシング時の第２レンズ群Ｇ２と第３レンズ群Ｇ３の合成系での収差の変動を抑制でき、第１レンズ群Ｇ１も含めた結像光学系全系のフォーカシングに伴う収差変動を抑制することが可能となる。
【００３９】
このように、本発明の結像光学系は、第３レンズ群の導入によってフォーカシングに伴う第２レンズ群の移動によるコマ収差等の軸外収差の変動の抑制を可能としているため、軸外収差の変動の抑制が課題となる対角線全画角５０°程度の標準レンズ、またはそれ以上の画角の広角レンズに適する。また本発明の結像光学系は、軸外収差の発生が対角線全画角５０°程度の標準レンズより少ない対角線全画角３０°程度の中望遠レンズに対しても、当然適用可能である。
【００４０】
さらに、負の屈折力の第３レンズ群Ｇ３には、フォーカシングに伴う第２レンズ群Ｇ２の移動量を抑制する、結像光学系の全長を抑制するなどの効果もあるため、結像光学系全体の小型化に寄与する。
【００４１】
一方、前述した通り、撮像素子は入射角の大きな光に対して感度が低下するという特性を持つために、結像光学系からの光線射出角を抑制する必要がある。このため、開口絞りＳを挟んで対向する正の屈折力の第１レンズ群Ｇ１と、正の屈折力の第２レンズ群Ｇ２および負の第３レンズ群Ｇ３の合成系とを比べると、第１レンズ群Ｇ１の正の屈折力の方が弱くなければならない。
【００４２】
同様に、負の屈折力の第３レンズ群Ｇ３は射出瞳を像側に移動させ光線射出角を大きくする作用を持つので、第２レンズ群Ｇ２に比べて第３レンズ群Ｇ３の屈折力の方が小さくなければならない。
【００４３】
そこで、本発明の結像光学系が満たす条件式１は、第１レンズ群Ｇ１と、第２レンズ群Ｇ２および第３レンズ群Ｇ３の合成系との無限遠合焦状態における焦点距離の比に関して、光学系の全長とレンズからの光線射出角とを抑制するための好ましい範囲を規定するものである。
【００４４】
条件式１の下限を下回ると、第１レンズ群Ｇ１の屈折力が強くなって光線射出角の抑制が困難となる。一方、条件式１の上限を上回ると、第２レンズ群Ｇ２の屈折力が強くなるために第２レンズ群Ｇ２および第３レンズ群Ｇ３の収差補正が困難となる。また第２レンズ群Ｇ２および第３レンズ群Ｇ３の合成系の屈折力が第１レンズ群Ｇ１に対して強くなり、レトロフォーカス型の屈折力配置に近づくため、バックフォーカスが長くなって光学系全体の全長の抑制が難しくなり、結像光学系の小型化を阻害する。
【００４５】
なお、上述した条件式１について、その下限値を１．３０に、またさらに２．４０とすることで、前述の効果をより確実にすることができる。また、上限値を７．００とすることで、前述の効果をより確実にすることができる。
【００４６】
また、本発明の結像光学系が満たす条件式２は、第２レンズ群Ｇ２と第３レンズ群Ｇ３の焦点距離の比に関して、レンズからの光線射出角と収差変動とを抑制するための好ましい範囲を規定するものである。
【００４７】
条件式２の下限を下回ると、第３レンズ群Ｇ３の屈折力が弱くなってフォーカシングに伴う収差変動を抑制することが難しくなる。また、光学系全長やフォーカシングに伴う第２レンズ群Ｇ２の移動量の抑制が難しくなり、結像光学系の小型化を阻害する。一方、条件式２の上限を超えると第３レンズ群Ｇ３の屈折力が強くなり光線射出角の抑制が難しくなる。
【００４８】
なお、上述した条件式２について、その下限値を０．０２とすることで、前述の効果をより確実にすることができる。また、上限値を０．３０に、またさらに０．２５とすることで、前述の効果をより確実にすることができる。
【００４９】
また、本発明の結像光学系が満たす条件式３は、第３レンズ群Ｇ３における少なくとも１枚ずつの負レンズと正レンズの屈折率に関して、フォーカシングに伴う収差変動を抑制するために好ましい条件を規定するものである。より屈折力の大きい第２レンズ群Ｇ２の収差変動を打ち消すためには、第３レンズ群Ｇ３は屈折力に対して収差の発生を大きくする必要がある。
【００５０】
条件式３の下限を下回って第３レンズ群Ｇ３内の少なくとも１枚の負レンズの屈折率が低くなると、第３レンズ群Ｇ３内の負レンズの発生させるコマ収差、歪曲が大きくなって性能低下の原因となり、また偏芯による収差変動が大きくなって製造時の性能が低下してしまう。一方、条件式３の上限を上回って第３レンズ群Ｇ３内の少なくとも１枚の負レンズの屈折率が高くなると、コマ収差、歪曲の発生が小さくなるため、フォーカシングに伴う収差変動の抑制が難しくなる。
【００５１】
なお、上述した条件式３について、その下限値を０．８５０とすることで、前述の効果をより確実にすることができる。また、上限値を０．９８５、またさらに０．９００とすることで、前述の効果をより確実にすることができる。
【００５２】
さらに本発明の結像光学系では、第１レンズ群Ｇ１内に、物体側から順に物体側に凸面を向けた正レンズと像側に凹面を向けた負レンズの２枚のレンズからなる接合レンズＤＢ１を有し、第２レンズ群Ｇ２内に、物体側から順に物体側に凹面を向けた負レンズと像側に凸面を向けた正レンズの２枚のレンズからなる接合レンズＤＢ２を有する構成としている。これにより、コマ収差や非点収差等の軸外収差を補正するとともに、第１レンズ群Ｇ１と第２レンズ群Ｇ２のそれぞれでの軸上色収差の補正を行っている。
【００５３】
これらの接合レンズを分離して空気レンズとすると曲率の自由度が１面分増えるので、開放でのコマフレアをさらに削減できる可能性があるが、各レンズの偏芯による性能低下が大きくなるため、製造時の性能が低下するおそれがある。また瞳中心付近での横収差が大きくなりやすいため、開口絞りＳを絞っても解像度が上がらないなどの問題がある。
【００５４】
さらに第２レンズ群Ｇ２は光線射出角を抑制するために大きな屈折力を持つ必要があるため、接合レンズＤＢ２の像側に両凸形状の正レンズを有するのが良い。
【００５５】
本発明の結像光学系では、第１レンズ群中の接合レンズＤＢ１、および第２レンズ群中の接合レンズＤＢ２の接合面が条件式４および５を満たすことが望ましい。これらの条件式は、各接合レンズＤＢ１およびＤＢ２それぞれの接合面の曲率半径に関して、好ましい条件を規定するものである。
【００５６】
条件式４および５に規定の範囲を超えて各接合面の曲率が強くなると、接合面で発生する７次のコマ収差や５次および７次の非点収差の発生が大きくなり、接合レンズの偏芯による性能低下が大きくなる。また接合レンズの体積が大きくなり重量が増加する。特に接合レンズＤＢ２はフォーカシング時に移動する第２レンズ群Ｇ２内に設けられているので、重量増加は大きな問題となる。
【００５７】
さらに本発明の結像光学系では、前記第１レンズ群中の接合レンズＤＢ１が第１レンズ群中の最も像側に配置されることが望ましい。前述のように接合レンズＤＢ１は像側に凹面を向けているので、像側の面が負の屈折力となっている。この面を第１レンズ群中の最も像側に配置することによって、第１レンズ群内部の屈折力配置はテレフォト型に近くなり、光学系全体の全長を抑制するために好都合である。
【００５８】
また、第１レンズ群の像側には開口絞りがあって、全ての画角の光束が集中するために第１レンズ群の最も像側のエレメントは偏芯が発生した場合の収差変化の感度が大きくなりやすい傾向がある。第１レンズ群の最も像側に、条件式４を満たして偏芯時の収差変化の感度を抑制した接合レンズＤＢ１を配置することにより、製造誤差による性能の低下を抑えることが出来る。
【００５９】
さらに本発明の結像光学系では、第３レンズ群Ｇ３の最も像側に正レンズを有する構成とすることが望ましい。前述のように負の屈折力の第３レンズ群Ｇ３は射出瞳を像側に移動させ、画像周辺部における主光線の射出角が大きくなりがちである。これを解消するために、第３レンズ群Ｇ３の最も像側に正レンズを配置することで、正レンズのパワーを弱くして収差の発生を抑制しながら主光線射出角を抑制することが出来る。
【００６０】
さらに本発明の結像光学系では、第３レンズ群Ｇ３に含まれる負レンズを１枚とする構成が望ましい。第３レンズ群Ｇ３において第２レンズ群Ｇ２の移動に伴う収差変動を打ち消すためには、第３レンズ群Ｇ３中の負レンズが発生する収差をある程度大きくする必要がある。そのためには第３レンズ群Ｇ３中の負レンズを少なくすることが好ましく、１枚にて構成することが最も好ましい。またこれは構成枚数の削減にもつながり、光学系全体の小型化において有利となる。
【００６１】
さらに本発明の結像光学系では、第２レンズ群Ｇ２は物体側から順に物体側に凹面を向けた負レンズと像側に凸面を向けた正レンズの２枚のレンズからなる接合レンズＤＢ２と両凸形状の正レンズのみからなることが望ましい。
【００６２】
前述のように光線射出角を抑制し、フォーカシングに必要な屈折力を付与しながら十分に収差を補正するために、物体側から順に接合レンズＤＢ２と両凸レンズを有することが望ましい。より構成枚数を増やすと第２レンズ群の収差補正には有利になるが、第２レンズ群の重量の増加を招き、本発明の目的の一つであるフォーカス群の軽量化が達成困難となる。
【００６３】
本発明の結像光学系では、以下の構成を伴うことが、本発明の結像光学系の高性能化により効果的である。
【００６４】
フォーカシングに伴う収差変動を抑制するために、第２レンズ群Ｇ２のいずれか１つまたは複数の面を非球面とし、第２レンズ群Ｇ２での収差発生を抑制する構成とするとより望ましい。どの面を非球面としても補正効果を得られるが、第２レンズ群Ｇ２の物体側寄りの面ほどコマ収差の補正に効果を発揮し、第２レンズ群Ｇ２の像側寄りの面ほど非点収差や歪曲収差の補正に効果を発揮する傾向がある。第２レンズ群Ｇ２内の面は面精度によって球面収差やコマ収差が変化しやすいため、精度良く製造しやすい両凸形状の正レンズのいずれかの面を非球面とする構成とするとより望ましい。
【００６５】
また、第１レンズ群Ｇ１や第３レンズ群Ｇ３にさらに非球面を導入することで、非点収差等の補正をより良好に行える。
【００６６】
次に、本発明の結像光学系に係る実施例のレンズ構成について説明する。なお、以下の説明ではレンズ構成を物体側から像側の順番で記載する。
【実施例１】
【００６７】
図１は、本発明の実施例１の結像光学系のレンズ構成図である。
【００６８】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【００６９】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【００７０】
第３レンズ群Ｇ３は、両凹形状の負レンズＬ６と、両凸形状の正レンズＬ７とで構成されており、全体として負の屈折力を持っている。
【００７１】
また、正レンズＬ５の像側レンズ面と正レンズＬ７の像側レンズ面は、それぞれ所定の非球面形状となっている。
【実施例２】
【００７２】
図６は、本発明の実施例２の結像光学系のレンズ構成図である。
【００７３】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【００７４】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【００７５】
第３レンズ群Ｇ３は、両凹形状の負レンズＬ６と、両凸形状の正レンズＬ７とで構成されており、全体として負の屈折力を持っている。
【００７６】
また、正レンズＬ５の像側レンズ面は所定の非球面形状となっている。
【実施例３】
【００７７】
図１１は、本発明の実施例３の結像光学系のレンズ構成図である。
【００７８】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【００７９】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【００８０】
第３レンズ群Ｇ３は、両凹形状の負レンズＬ６と、両凸形状の正レンズＬ７とで構成されており、全体として負の屈折力を持っている。
【００８１】
また、正レンズＬ４の像側レンズ面は所定の非球面形状となっている。
【実施例４】
【００８２】
図１６は、本発明の実施例４の結像光学系のレンズ構成図である。
【００８３】
第１レンズ群Ｇ１は、
物体側に凸面を向けたメニスカス形状の負レンズＬ１と、物体側に凸面を向けた正レンズＬ２と像側に凹面を向けた負レンズＬ３とから成る接合レンズＤＢ１で構成されており、全体として正の屈折力を持っている。
【００８４】
第２レンズ群Ｇ２は、物体側に凹面を向けた負レンズＬ４と像側に凸面を向けた正レンズＬ５とから成る接合レンズＤＢ２と、両凸形状の正レンズＬ６とで構成されており、全体として正の屈折力を持っている。この第２レンズ群Ｇ２は、無限遠から近距離へのフォーカシングに際して光軸に沿って物体側に移動する。
【００８５】
第３レンズ群Ｇ３は、両凹形状の負レンズＬ７と、両凸形状の正レンズＬ８とで構成されており、全体として負の屈折力を持っている。
【００８６】
また、正レンズＬ５の像側レンズ面は所定の非球面形状となっている。
【実施例５】
【００８７】
図２１は、本発明の実施例５の結像光学系のレンズ構成図である。
【００８８】
第１レンズ群Ｇ１は、物体側に凸面を向けたメニスカス形状の正レンズＬ１と、物体側に凸面を向けた正レンズＬ２と像側に凹面を向けた負レンズＬ３とから成る接合レンズＤＢ１で構成されており、全体として正の屈折力を持っている。
【００８９】
第２レンズ群Ｇ２は、物体側に凹面を向けた負レンズＬ４と像側に凸面を向けた正レンズＬ５とから成る接合レンズＤＢ２と、両凸形状の正レンズＬ６とで構成されており、全体として正の屈折力を持っている。この第２レンズ群Ｇ２は、無限遠から近距離へのフォーカシングに際して光軸に沿って物体側に移動する。
【００９０】
第３レンズ群Ｇ３は、物体側に凸面を向けたメニスカス形状の負レンズＬ７と、両凸形状の正レンズＬ８とで構成されており、全体として負の屈折力を持っている。
【００９１】
また、正レンズＬ１の物体側レンズ面と正レンズＬ５の像側レンズ面は、それぞれ所定の非球面形状となっている。
【実施例６】
【００９２】
図２６は、本発明の実施例６の結像光学系のレンズ構成図である。
【００９３】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【００９４】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【００９５】
第３レンズ群Ｇ３は、物体側に凸面を向けたメニスカス形状の負レンズＬ６と、両凸形状の正レンズＬ７とで構成されており、全体として負の屈折力を持っている。
【００９６】
また、正レンズＬ５の像側レンズ面と正レンズＬ７の像側レンズ面は、それぞれ所定の非球面形状となっている。
【実施例７】
【００９７】
図３１は、本発明の実施例７の結像光学系のレンズ構成図である。
【００９８】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【００９９】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１００】
第３レンズ群Ｇ３は、両凹形状の負レンズＬ６と、両凸形状の正レンズＬ７とで構成されており、全体として負の屈折力を持っている。
【０１０１】
また、正レンズＬ５の像側レンズ面と正レンズＬ７の像側レンズ面は、それぞれ所定の非球面形状となっている。
【実施例８】
【０１０２】
図３６は、本発明の実施例８の結像光学系のレンズ構成図である。
【０１０３】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１０４】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１０５】
第３レンズ群Ｇ３は、両凹形状の負レンズＬ６と、像側に凸面を向けたメニスカス形状の正レンズＬ７とで構成されており、全体として負の屈折力を持っている。
【０１０６】
また、正レンズＬ５の像側レンズ面は所定の非球面形状となっている。
【実施例９】
【０１０７】
図４１は、本発明の実施例９の結像光学系のレンズ構成図である。
【０１０８】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１０９】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１１０】
第３レンズ群Ｇ３は、両凹形状の負レンズＬ６と、両凸形状の正レンズＬ７とで構成されており、全体として負の屈折力を持っている。
【０１１１】
また、正レンズＬ５の像側レンズ面と正レンズＬ７の像側レンズ面は、それぞれ所定の非球面形状となっている。
【実施例１０】
【０１１２】
図４６は、本発明の実施例１０の結像光学系のレンズ構成図である。
【０１１３】
第１レンズ群Ｇ１は、物体側に凸面を向けたメニスカス形状の負レンズＬ１と、物体側に凸面を向けた正レンズＬ２と像側に凹面を向けた負レンズＬ３とから成る接合レンズＤＢ１で構成されており、全体として正の屈折力を持っている。
【０１１４】
第２レンズ群Ｇ２は、物体側に凹面を向けた負レンズＬ４と像側に凸面を向けた正レンズＬ５とから成る接合レンズＤＢ２と、両凸形状の正レンズＬ６とで構成されており、全体として正の屈折力を持っている。この第２レンズ群Ｇ２は、無限遠から近距離へのフォーカシングに際して光軸に沿って物体側に移動する。
【０１１５】
第３レンズ群Ｇ３は、両凹形状の負レンズＬ７と、両凸形状の正レンズＬ８とで構成されており、全体として負の屈折力を持っている。
【０１１６】
また、正レンズＬ６の物体側レンズ面と正レンズＬ８の像側レンズ面は、それぞれ所定の非球面形状となっている。
【実施例１１】
【０１１７】
図５１は、本発明の実施例１１の結像光学系のレンズ構成図である。
【０１１８】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１１９】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。この第２レンズ群Ｇ２は、無限遠から近距離へのフォーカシングに際して光軸に沿って物体側に移動する。
【０１２０】
第３レンズ群Ｇ３は、両凹形状の負レンズＬ６と、両凸形状の正レンズＬ７とで構成されており、全体として負の屈折力を持っている。
【０１２１】
また、正レンズＬ５の像側レンズ面と正レンズＬ７の像側レンズ面は、それぞれ所定の非球面形状となっている。
【実施例１２】
【０１２２】
図５６は、本発明の実施例１２の結像光学系のレンズ構成図である。
【０１２３】
第１レンズ群Ｇ１は、物体側に凸面を向けた正レンズＬ１と像側に凹面を向けた負レンズＬ２とから成る接合レンズＤＢ１で構成されており、全体として正の屈折力を持っている。
【０１２４】
第２レンズ群Ｇ２は、物体側に凹面を向けた負レンズＬ３と像側に凸面を向けた正レンズＬ４とから成る接合レンズＤＢ２と、両凸形状の正レンズＬ５とで構成されており、全体として正の屈折力を持っている。
この第２レンズ群Ｇ２は、無限遠から近距離へのフォーカシングに際して光軸に沿って物体側に移動する。
【０１２５】
第３レンズ群Ｇ３は、両凹形状の負レンズＬ６と、両凸形状の正レンズＬ７と、両凸形状の正レンズＬ８とで構成されており、全体として負の屈折力を持っている。
【０１２６】
また、正レンズＬ５の像側レンズ面は所定の非球面形状となっている。
【実施例１３】
【０１２７】
図６１は、本発明の実施例１３の結像光学系のレンズ構成図である。
【０１２８】
第１レンズ群Ｇ１は、物体側に凸面を向けたメニスカス形状の正レンズＬ１と、物体側に凸面を向けたメニスカス形状の正レンズＬ２と像側に凹面を向けたメニスカス形状の負レンズＬ３とから成る接合レンズと、物体側に凸面を向けた正レンズＬ４と像側に凹面を向けた負レンズＬ５とから成る接合レンズＤＢ１で構成されており、全体として正の屈折力を持っている。
【０１２９】
第２レンズ群Ｇ２は、物体側に凹面を向けた負レンズＬ６と像側に凸面を向けた正レンズＬ７とから成る接合レンズＤＢ２と、両凸形状の正レンズＬ８とで構成されており、全体として正の屈折力を持っている。この第２レンズ群Ｇ２は、無限遠から近距離へのフォーカシングに際して光軸に沿って物体側に移動する。
【０１３０】
第３レンズ群Ｇ３は、両凹形状の負レンズＬ９と、物体側に凸面を向けたメニスカス形状の正レンズＬ１０とで構成されており、全体として負の屈折力を持っている。
【０１３１】
また、正レンズＬ８の像側レンズ面は所定の非球面形状となっている。
【実施例１４】
【０１３２】
図６６は、本発明の実施例１４の結像光学系のレンズ構成図である。
【０１３３】
第１レンズ群Ｇ１は、物体側に凸面を向けたメニスカス形状の正レンズＬ１と、物体側に凸面を向けたメニスカス形状の正レンズＬ２と像側に凹面を向けたメニスカス形状の負レンズＬ３とから成る接合レンズと、物体側に凸面を向けた正レンズＬ４と像側に凹面を向けた負レンズＬ５とから成る接合レンズＤＢ１で構成されており、全体として正の屈折力を持っている。
【０１３４】
第２レンズ群Ｇ２は、物体側に凹面を向けた負レンズＬ６と像側に凸面を向けた正レンズＬ７とから成る接合レンズＤＢ２と、両凸形状の正レンズＬ８とで構成されており、全体として正の屈折力を持っている。この第２レンズ群Ｇ２は、無限遠から近距離へのフォーカシングに際して光軸に沿って物体側に移動する。
【０１３５】
第３レンズ群Ｇ３は、両凹形状の負レンズＬ９と、両凸レンズＬ１０とで構成されており、全体として負の屈折力を持っている。
【０１３６】
また、正レンズＬ８の像側レンズ面は所定の非球面形状となっている。
【実施例１５】
【０１３７】
図７１は、本発明の実施例１５の結像光学系のレンズ構成図である。
【０１３８】
第１レンズ群Ｇ１は、物体側に凸面を向けたメニスカス形状の正レンズＬ１と、物体側に凸面を向けた正レンズＬ２と像側に凹面を向けた負レンズＬ３とから成る接合レンズＤＢ１で構成されており、全体として正の屈折力を持っている。
【０１３９】
第２レンズ群Ｇ２は、物体側に凹面を向けた負レンズＬ４と像側に凸面を向けた正レンズＬ５とから成る接合レンズＤＢ２と、両凸形状の正レンズＬ６とで構成されており、全体として正の屈折力を持っている。この第２レンズ群Ｇ２は、無限遠から近距離へのフォーカシングに際して光軸に沿って物体側に移動する。
【０１４０】
第３レンズ群Ｇ３は、両凹形状の負レンズＬ７と、両凸レンズＬ８とで構成されており、全体として負の屈折力を持っている。
【０１４１】
また、正レンズＬ６の像側レンズ面は所定の非球面形状となっている。
【０１４２】
続いて、以下に前述した各実施例の諸元を示す。［全体諸元］において、ｆは焦点距離、ＦｎｏはＦナンバー、２ωは対角線全画角を示す。［レンズ諸元］において、第１列の番号は物体側から数えたレンズ面番号、第２列のｒは各レンズ面の曲率半径、第３列のｄはレンズ面間隔、第４列のｎｄはｄ線（波長５８７．５６ｎｍ）に対する屈折率、νｄはｄ線（波長５８７．５６ｎｍ）に対するアッベ数を示している。
【０１４３】
第１列のレンズ面番号に付した＊（アスタリスク）は、そのレンズ面形状が非球面であることを示している。第２列の「開口絞り」は絞り面位置を表し、第３列のＢｆはバックフォーカスを表す。
【０１４４】
［可変間隔］はフォーカシングにおける各可変間隔の値を示している。
【０１４５】
［非球面係数］は、［レンズ諸元］において＊を付したレンズ面の非球面形状を与える非球面係数を示している。非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０次の非球面係数をＡ４、Ａ６、Ａ８、Ａ１０と置くとき、非球面の座標が以下の式で表されるものとする。
図面番号：000003
【０１４６】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１４７】
実施例１
[全体諸元]
撮影距離             INF
f                      30.83
Fno                     2.89
2ω                    50.49
[レンズ諸元]
r           d           nd         νd
[1]                  17.7672      3.1821     1.88300       40.80
[2]               -1000.0000      0.8000     1.58144       40.89
[3]                  12.9742      2.6198
[4]                 開口絞り          d4
[5]                 -10.0295      0.8000     1.69895       30.05
[6]                  58.7192      3.8254     1.80420       46.50
[7]                 -15.7253      0.1500
[8]                  47.8215      3.6590     1.77250       49.62
* [9]                 -27.3923          d9
[10]                -97.3976      1.0000     1.56732       42.84
[11]                 24.1411      4.4473
[12]                 88.7361      2.8926     1.77250       49.62
* [13]                -67.2193          Bf
*:非球面
[可変間隔]
撮影距離              d4          d9          Bf
INF                6.9859      1.5000        20.4045
500mm              5.6552      2.8307        20.4045
[非球面係数]
9面           13面
A4                1.68830E-05   9.50840E-08
A6               -6.94468E-09  -5.47977E-09
A8                2.50342E-11   2.45567E-11
A10               0.00000E+00   0.00000E+00
【０１４８】
実施例２
[全体諸元]
撮影距離             INF
f                      30.92
Fno                     2.91
2ω                    50.28
[レンズ諸元]
r           d           nd         νd
[1]                  17.8828      3.0675     1.88300       40.80
[2]                -466.4970      0.8000     1.58144       40.89
[3]                  13.0047      2.5427
[4]                 開口絞り          d4
[5]                 -10.2042      0.8000     1.67270       32.17
[6]                  36.9328      3.9392     1.80420       46.50
[7]                 -16.8128      0.1500
[8]                  50.1843      3.5110     1.77250       49.62
* [9]                 -26.8479          d9
[10]                -80.8366      1.0000     1.60342       38.01
[11]                 25.2151      4.5111
[12]                101.7470      2.8930     1.80420       46.50
[13]                -60.0440          Bf
*:非球面
[可変間隔]
撮影距離              d4          d9          Bf
INF                6.7985      1.5000        20.6687
500mm              5.5178      2.7807        20.6688
[非球面係数]
9面
A4                2.03217E-05
A6               -1.99227E-08
A8                1.55204E-10
A10               0.00000E+00
【０１４９】
実施例３
[全体諸元]
撮影距離             INF
f                      30.81
Fno                     2.90
2ω                    50.43
[レンズ諸元]
r           d           nd         νd
[1]                  16.3182      3.1496     1.88300       40.80
[2]                1000.0000      0.8500     1.60342       38.01
[3]                  11.9440      2.1808
[4]                 開口絞り          d4
[5]                 -10.2428      0.8500     1.67270       32.17
[6]                 100.7580      3.7977     1.77250       49.62
* [7]                 -15.0281      0.1500
[8]                  55.9362      3.2307     1.83481       42.72
[9]                 -36.4658          d9
[10]                -64.6517      1.0000     1.67270       32.17
[11]                 29.6972      2.9631
[12]                216.4930      3.6631     1.77250       49.62
[13]                -31.3466          Bf
*:非球面
[可変間隔]
撮影距離              d4          d9          Bf
INF                6.8178      2.9737        20.7178
500mm              5.2020      4.5895        20.7178
[非球面係数]
7面
A4                1.07514E-05
A6                7.51773E-08
A8                0.00000E+00
A10               0.00000E+00
【０１５０】
実施例４
[全体諸元]
撮影距離             INF
f                      30.91
Fno                     2.91
2ω                    50.28
[レンズ諸元]
r           d           nd         νd
[1]                  21.1515      1.0000     1.51742       52.15
[2]                  14.2703      2.8609
[3]                  16.3026      3.8285     1.80420       46.50
[4]                 -79.9177      1.0332     1.54814       45.82
[5]                  13.8102      2.8556
[6]                 開口絞り          d6
[7]                 -11.0738      0.8500     1.60342       38.01
[8]                  34.1395      3.5895     1.77250       49.62
* [9]                 -19.3756      0.1500
[10]                 118.722      3.5280     1.72916       54.67
[11]                -22.6131         d11
[12]                -46.4782      1.0000     1.67270       32.17
[13]                 33.6717      2.0043
[14]                 155.728      3.4080     1.80420       46.50
[15]                -32.2286          Bf
*:非球面
[可変間隔]
撮影距離              d6         d11           Bf
INF                6.7621      1.5000        25.3043
500mm              5.0986      3.1635        25.3042
[非球面係数]
9面
c4                2.11124E-05
c6                1.22452E-07
c8                0.00000E+00
c10               0.00000E+00
【０１５１】
実施例５
[全体諸元]
撮影距離             INF
f                      30.77
Fno                     2.47
2ω                    50.43
[レンズ諸元]
r           d           nd         νd
* [1]                  30.4647      2.0493     1.80610       40.73
[2]                  70.7560      1.6595
[3]                  45.0084      2.6177     1.88300       40.80
[4]                 -45.0084      1.0353     1.60342       38.01
[5]                  16.3355      1.9370
[6]                 開口絞り          d6
[7]                 -10.1505      1.0665     1.67270       32.17
[8]                1000.0000      4.8298     1.77250       49.62
* [9]                 -14.1058      0.1500
[10]                 41.3218      3.8985     1.80420       46.50
[11]                -55.6171         d11
[12]                330.7410      1.0000     1.64769       33.84
[13]                 22.4954      1.5801
[14]                 47.0046      3.0802     1.72916       54.67
[15]               -132.7210          Bf
*:非球面
[可変間隔]
撮影距離              d6         d11          Bf
INF                8.2303      1.5000        22.7049
500mm              6.6333      3.0970        22.7049
[非球面係数]
1面           9面
A4               -5.37530E-06   6.75573E-06
A6               -1.74772E-08  -1.94113E-08
A8                0.00000E+00   5.96039E-10
A10               0.00000E+00   0.00000E+00
【０１５２】
実施例６
[全体諸元]
撮影距離             INF
f                      30.60
Fno                     2.47
2ω                    50.72
[レンズ諸元]
r           d           nd         νd
[1]                  20.4321      3.6701     1.88300       40.80
[2]                1969.5900      1.2000     1.60342       38.01
[3]                  14.1396      3.9679
[4]                 開口絞り          d4
[5]                 -10.2071      0.8500     1.64769       33.84
[6]                  31.0579      4.9674     1.80420       46.50
[7]                 -19.4887      0.1500
[8]                  49.8435      4.6667     1.77250       49.62
* [9]                 -24.8436          d9
[10]                 73.6332      1.0000     1.71736       29.50
[11]                 23.1034      2.5618
[12]                 69.7780      2.0789     1.77250       49.62
* [13]               -875.8660          Bf
*:非球面
[可変間隔]
撮影距離              d4          d9          Bf
INF                8.0709      1.5000        22.6437
500mm              6.7216      2.8493        22.6437
[非球面係数]
9面           13面
A4                2.64598E-05  -8.41610E-07
A6               -1.67129E-09   2.18423E-08
A8                5.88092E-11   4.26137E-13
A10               0.00000E+00   0.00000E+00
【０１５３】
実施例７
[全体諸元]
撮影距離             INF
f                      28.77
Fno                     2.91
2ω                    53.60
[レンズ諸元]
r           d           nd         νd
[1]                  18.3732      3.0553     1.88300       40.80
[2]               -1225.7800      0.8000     1.56732       42.84
[3]                  12.9748      2.7044
[4]                 開口絞り          d4
[5]                  -9.7411      0.8000     1.72825       28.32
[6]                  95.1258      4.3138     1.80420       46.50
[7]                 -14.9218      0.1500
[8]                  43.1304      4.3678     1.77250       49.62
* [9]                 -28.8136          d9
[10]               -248.3050      1.0000     1.56732       42.84
[11]                 24.5497      2.9966
[12]                 96.4861      2.6302     1.77250       49.62
* [13]                -73.0893          Bf
*:非球面
[可変間隔]
撮影距離              d4          d9          Bf
INF                7.4725      1.5000        20.5277
500mm              6.1644      2.8081        20.5277
[非球面係数]
9面           13面
A4                1.46389E-05   3.05823E-06
A6               -1.48270E-08   3.48667E-09
A8                3.04390E-11   1.21760E-10
A10               0.00000E+00   0.00000E+00
【０１５４】
実施例８
[全体諸元]
撮影距離             INF
f                      44.90
Fno                     2.92
2ω                    34.67
[レンズ諸元]
r           d           nd         νd
[1]                  21.0503      4.4734     1.80420       46.50
[2]                -320.5490      1.2000     1.56732       42.84
[3]                  16.2004      4.8638
[4]                 開口絞り          d4
[5]                 -16.1298      0.8000     1.64769       33.84
[6]                  30.6296      2.5710     1.80420       46.50
[7]                 -76.2679      0.1500
[8]                  46.4632      4.5298     1.77250       49.62
* [9]                 -22.6543          d9
[10]                -28.4019      1.0000     1.56732       42.84
[11]                 35.6397      4.5396
[12]                -85.0675      3.5533     1.77250       49.62
[13]                -22.8930          Bf
*:非球面
[可変間隔]
撮影距離              d4          d9          Bf 
INF                6.8098      3.7279        29.5405
500mm              4.2223      6.3155        29.5405
[非球面係数]
9面
A4                3.15918E-05
A6               -5.79255E-10
A8                0.00000E+00
A10               0.00000E+00
【０１５５】
実施例９
[全体諸元]
撮影距離             INF
f                      36.83
Fno                     2.92
2ω                    42.87
[レンズ諸元]
r           d           nd         νd
[1]                  18.7768      3.8986     1.88300       40.80
[2]                 147.9180      1.2000     1.60342       38.01
[3]                  14.1942      3.1885
[4]                 開口絞り          d4
[5]                 -11.6016      1.1500     1.71736       29.50
[6]                  67.9589      3.7918     1.80420       46.50
[7]                 -18.8419      0.4530
[8]                  67.6991      4.0561     1.77250       49.62
* [9]                 -28.8070          d9
[10]               -471.2120      1.0000     1.51742       52.15
[11]                 27.0408      2.6038
[12]                122.6210      2.4355     1.77250       49.62
* [13]                -92.8949          Bf
*:非球面
[可変間隔]
撮影距離              d4          d9          Bf
INF                8.4761      3.2528        24.1734
500mm              6.1681      5.5609        24.1734
[非球面係数]
9面           13面
A4                1.13631E-05  -1.10755E-06
A6                5.04777E-09  -3.33029E-09
A8                0.00000E+00   0.00000E+00
A10               0.00000E+00   0.00000E+00
【０１５６】
実施例１０
[全体諸元]
撮影距離             INF
f                      24.72
Fno                     2.90
2ω                    60.91
[レンズ諸元]
r           d           nd         νd
[1]                  34.3141      1.0000     1.49700       81.61
[2]                  14.0764      4.5148
[3]                  27.8352      2.6364     1.80420       46.50
[4]                 -32.4074      0.8000     1.51742       52.15
[5]                  51.1758      1.2119
[6]                 開口絞り          d6
[7]                 -10.4135      1.1500     1.76182       26.61
[8]                -811.4690      4.3029     1.80420       46.50
[9]                 -14.9803      0.1500
[10]                103.7640      4.2389     1.75501       51.16
* [11]                -20.0298         d11
[12]               -125.3740      1.0000     1.60342       38.01
[13]                 33.9463      0.9100
[14]                 68.7625      1.8898     1.77250       49.62
* [15]              -1092.8400          Bf
*:非球面
[可変間隔]
撮影距離              d6         d11          Bf
INF                7.6621      1.5000        23.7560
500mm              6.8124      2.3497        23.7560
[非球面係数]
11面          15面
A4                2.88489E-05  -1.33539E-06
A6               -1.34435E-08   4.43316E-08
A8                0.00000E+00   1.70897E-10
A10               0.00000E+00  -4.28211E-14
【０１５７】
実施例１１
[全体諸元]
撮影距離             INF
f                      38.82
Fno                     2.92
2ω                    40.96
[レンズ諸元]
r           d           nd         νd
[1]                  18.7363      3.8808     1.88300       40.80
[2]                 176.1670      1.2000     1.60342       38.01
[3]                  14.3179      2.8894
[4]                 開口絞り          d4
[5]                 -12.5113      1.1500     1.69895       30.05
[6]                  50.5350      3.3293     1.80420       46.50
[7]                 -21.1597      1.3982
[8]                  70.6099      3.2915     1.77250       49.62
* [9]                 -28.4884          d9
[10]                -88.6725      1.0000     1.51742       52.15
[11]                 29.4400      2.6671
[12]                110.3830      2.3688     1.77250       49.62
* [13]                -83.6235          Bf
*:非球面
[可変間隔]
撮影距離              d4          d9          Bf
INF                7.7649      1.9800        26.8193
500mm              5.4180      4.3269        26.8194
[非球面係数]
9面           13面
A4                1.29698E-05  -2.20389E-06
A6                5.07127E-09  -7.24219E-09
A8                0.00000E+00   0.00000E+00
A10               0.00000E+00   0.00000E+00
【０１５８】
実施例１２
[全体諸元]
撮影距離             INF
f                      30.81
Fno                     2.91
2ω                    50.52
[レンズ諸元]
r           d           nd         νd
[1]                  17.6398      3.1831     1.88300       40.80
[2]                -661.0788      0.8000     1.58144       40.89
[3]                  12.8754      2.5733
[4]                 開口絞り          d4
[5]                  -9.9833      0.8000     1.69895       30.05
[6]                  54.4546      3.8772     1.80420       46.50
[7]                 -15.5512      0.1500
[8]                  44.9191      3.6762     1.77250       49.62
* [9]                 -28.2894          d9
[10]                -94.3498      1.0000     1.54814       45.82
[11]                 23.4326      4.2896
[12]                103.2251      2.0675     1.71300       53.94
[13]               -200.0487      0.1500
[14]                596.8248      1.9200     1.71300       53.94
[15]                -91.3509          Bf
*:非球面
[可変間隔]
撮影距離              d4          d9          Bf
INF                6.9886      1.2000        19.8474
500mm              5.6980      2.4906        19.8474
[非球面係数]
9面
A4                1.66558E-05
A6               -1.50233E-08
A8                9.05044E-11
A10               0.00000E+00
【０１５９】
実施例１３
[全体諸元]
撮影距離                INF
f                      49.97
Fno                     2.91
2ω                    31.29
[レンズ諸元]
r           d           nd          vd
[1]                  25.5676      3.2132     1.91082       35.25
[2]                  76.6739      0.1500
[3]                  18.6018      3.0735     1.88100       40.14
[4]                  25.1540      0.8500     1.69895       30.05
[5]                  14.0047      1.1254
[6]                  18.1926      2.8366     1.49700       81.61
[7]                 471.3847      0.8500     1.76182       26.61
[8]                  16.2708      3.5236
[9]                 開口絞り          d9
[10]                -13.3018      0.8500     1.61293       36.96
[11]                 45.3569      3.3222     1.77250       49.62
[12]                -34.6306      0.1500
[13]                 88.7278      4.3443     1.77250       49.47
* [14]                -21.7125         d14
[15]                -65.7271      0.8500     1.72916       54.67
[16]                 56.2018      1.7879
[17]                 57.3786      2.2311     1.80518       25.46
[18]               1000.0000          Bf
*:非球面
[可変間隔]
撮影距離                d9         d14          Bf
INF                  11.1929      1.2000     18.0523
800mm                 8.3863      4.0066     18.0523
[非球面係数]
14面
A4                2.14963E-05
A6                1.81277E-08
A8                0.00000E+00
A10               0.00000E+00
【０１６０】
実施例１４
[全体諸元]
撮影距離                INF
f                      49.83
Fno                     2.91
2ω                    31.37
[レンズ諸元]
r           d           nd          vd
[1]                  25.6932      2.9860     1.88100       40.14
[2]                  78.1195      0.1500
[3]                  16.7234      2.5121     1.88100       40.14
[4]                  23.5258      0.8500     1.68893       31.16
[5]                  13.0992      1.1461
[6]                  17.3301      2.8747     1.49700       81.61
[7]                 206.6586      0.8500     1.71736       29.50
[8]                  14.6907      3.6520
[9]                 開口絞り          d9
[10]                -14.8255      0.8500     1.59551       39.22
[11]                 51.9204      3.1601     1.77250       49.62
[12]                -41.3253      0.7021
[13]                 69.7649      4.5681     1.77250       49.47
* [14]                -24.4434         d14
[15]                -45.1987      0.8500     1.49700       81.61
[16]                 33.3998      2.0054
[17]                 40.2381      3.4071     1.51823       58.96
[18]               -158.4762          Bf
*:非球面
[可変間隔]
撮影距離                d9         d14          Bf
INF                  12.0088      1.2000     15.5014
800mm                 9.0132      4.1956     15.5014
[非球面係数]
14面
A4                1.66652E-05
A6                4.92275E-09
A8                0.00000E+00
A10               0.00000E+00
【０１６１】
実施例１５
[全体諸元]
撮影距離                INF
f                      54.15
Fno                     2.91
2ω                    28.99
[レンズ諸元]
r           d           nd          vd
[1]                  22.8494      3.8512     1.88100       40.14
[2]                  72.9156      4.2501
[3]                  14.7989      4.0964     1.49700       81.61
[4]                -596.7061      0.8500     1.72825       28.32
[5]                  11.5054      4.0442
[6]                 開口絞り          d6
[7]                 -13.2230      0.8500     1.65844       50.85
[8]                 278.9063      4.5406     1.77250       49.62
[9]                 -19.5173      0.1500
[10]                 61.1270      3.6152     1.77250       49.47
* [11]                -45.4303         d11
[12]                -46.4826      0.8500     1.59349       67.00
[13]                 52.9372      3.6470
[14]                184.5884      2.5964     1.80420       46.50
[15]                -77.8785          Bf
*:非球面
[可変間隔]
撮影距離              d6         d11          Bf
INF                  12.0519      1.2000     14.4036
800mm                 8.3631      4.8887     14.4037
[非球面係数]
11面
A4                1.31775E-06
A6               -2.40905E-09
A8                0.00000E+00
A10               0.00000E+00
【０１６２】
また、以下に前述した各実施例の条件式に対応する値の一覧を示す。
【０１６３】
[条件式対応値]
条件式1     条件式2     条件式3      条件式4      条件式5
式        f1/f2-3      |f2/f3|      n3a/n3b      |RDB1/f|     |RDB2/f|
範囲      1.20-7.50    0.01-0.35    0.800-0.990     1.00-        0.65-
実施例1      3.235        0.140        0.884        32.44         1.90
実施例2      3.225        0.148        0.889        15.09         1.19
実施例3      3.568        0.014        0.944        32.45         3.27
実施例4      5.629        0.020        0.927         2.59         1.10
実施例5      4.725        0.116        0.953         1.46        32.49
実施例6      6.586        0.187        0.969        64.36         1.01
実施例7      3.963        0.115        0.884        42.60         3.31
実施例8      2.619        0.125        0.884         7.14         0.68
実施例9      3.278        0.138        0.856         4.02         1.85
実施例10     3.656        0.220        0.905         1.31        32.83
実施例11     2.745        0.180        0.856         4.54         1.30
実施例12     3.156        0.152        0.904        21.46         1.77
実施例13     1.461        0.322        0.958         9.43         0.91
実施例14     1.427        0.285        0.986         4.15         1.04
実施例15     1.353        0.256        0.883        11.02         5.15
【符号の説明】
【０１６４】
Ｇ１    第１レンズ群
Ｇ２    第２レンズ群
Ｇ３    第３レンズ群
ＤＢ１  接合レンズ
ＤＢ２  接合レンズ
Ｓ      開口絞り
【図１】
2015043104.tif 000003
【図２】
2015043104.tif 000004
【図３】
2015043104.tif 000005
【図４】
2015043104.tif 000006
【図５】
2015043104.tif 000007
【図６】
2015043104.tif 000008
【図７】
2015043104.tif 000009
【図８】
2015043104.tif 000010
【図９】
2015043104.tif 000011
【図１０】
2015043104.tif 000012
【図１１】
2015043104.tif 000013
【図１２】
2015043104.tif 000014
【図１３】
2015043104.tif 000015
【図１４】
2015043104.tif 000016
【図１５】
2015043104.tif 000017
【図１６】
2015043104.tif 000018
【図１７】
2015043104.tif 000019
【図１８】
2015043104.tif 000020
【図１９】
2015043104.tif 000021
【図２０】
2015043104.tif 000022
【図２１】
2015043104.tif 000023
【図２２】
2015043104.tif 000024
【図２３】
2015043104.tif 000025
【図２４】
2015043104.tif 000026
【図２５】
2015043104.tif 000027
【図２６】
2015043104.tif 000028
【図２７】
2015043104.tif 000029
【図２８】
2015043104.tif 000030
【図２９】
2015043104.tif 000031
【図３０】
2015043104.tif 000032
【図３１】
2015043104.tif 000033
【図３２】
2015043104.tif 000034
【図３３】
2015043104.tif 000035
【図３４】
2015043104.tif 000036
【図３５】
2015043104.tif 000037
【図３６】
2015043104.tif 000038
【図３７】
2015043104.tif 000039
【図３８】
2015043104.tif 000040
【図３９】
2015043104.tif 000041
【図４０】
2015043104.tif 000042
【図４１】
2015043104.tif 000043
【図４２】
2015043104.tif 000044
【図４３】
2015043104.tif 000045
【図４４】
2015043104.tif 000046
【図４５】
2015043104.tif 000047
【図４６】
2015043104.tif 000048
【図４７】
2015043104.tif 000049
【図４８】
2015043104.tif 000050
【図４９】
2015043104.tif 000051
【図５０】
2015043104.tif 000052
【図５１】
2015043104.tif 000053
【図５２】
2015043104.tif 000054
【図５３】
2015043104.tif 000055
【図５４】
2015043104.tif 000056
【図５５】
2015043104.tif 000057
【図５６】
2015043104.tif 000058
【図５７】
2015043104.tif 000059
【図５８】
2015043104.tif 000060
【図５９】
2015043104.tif 000061
【図６０】
2015043104.tif 000062
【図６１】
2015043104.tif 000063
【図６２】
2015043104.tif 000064
【図６３】
2015043104.tif 000065
【図６４】
2015043104.tif 000066
【図６５】
2015043104.tif 000067
【図６６】
2015043104.tif 000068
【図６７】
2015043104.tif 000069
【図６８】
2015043104.tif 000070
【図６９】
2015043104.tif 000071
【図７０】
2015043104.tif 000072
【図７１】
2015043104.tif 000073
【図７２】
2015043104.tif 000074
【図７３】
2015043104.tif 000075
【図７４】
2015043104.tif 000076
【図７５】
2015043104.tif 000077